(57)【要約】【課題】利用者の生体情報や本装置の周囲の環境の情報に基づいて客観的に入力される文字を含んだ文章を作成する文章作成装置、文章作成補助装置、文章作成プログラム、及び、文章作成補助プログラムを提供すること。【解決手段】電子メールの文章を作成中に後述の感情表現文章挿入キー７が押下されたときに、利用者の体温、心拍数などを計測し、利用者の感情を推論し、その感情に合わせた文章を推論し、それを電子メールに挿入し、利用者の生体情報や本装置の周囲の環境の情報に基づいて客観的に入力される文字を含んだ文章を作成する。【選択図】        図２１
2007156776.tif 000002
【特許請求の範囲】
【請求項１】
利用者による入力操作により入力された文字もしくは特殊記号のデータである第一文字データを、文章データを記憶する文章作成領域に記憶する第一記憶制御手段と、
人の生体情報の計測値又は本文章作成装置の周囲の環境の計測値を取得する計測値取得手段と、
前記計測値取得手段で取得した計測値を、前記計測値に対応する文字のデータである第二文字データに変換する変換手段と、
前記第二文字データを前記文章作成領域に記憶する第二記憶制御手段とを備えた文章作成装置。
【請求項２】
前記変換手段は、前記計測値に対応する第二文字データとしてのテキストデータに変換することを特徴とする請求項１記載の文章作成装置。
【請求項３】
前記文章作成領域に記憶された文章データを電子メールとして送信する送信制御手段を備えたことを特徴とする請求項１または請求項２に記載の文章作成装置。
【請求項４】
前記第二記憶制御手段は、前記第二文字データを記憶する際に、自動で入力されたものであることを示す第三文字データを前記文章作成領域に記憶することを特徴とする請求項１から請求項３のいずれかに記載の文章作成装置。
【請求項５】
前記変換手段は、前記計測値に基づいて人の感情又は周囲の状況を推論する推論手段と、前記推論手段による推論結果に基づいて前記第二文字データを生成する文字生成手段とを有することを特徴とする請求項１から請求項４のいずれかに記載の文章作成装置。
【請求項６】
前記変換手段で変換される第二文字データの文体のモードを選択するモード選択手段を備え、
前記変換手段は、モード選択手段で選択された文体のモードに基づいて第二文字データに変換することを特徴とする請求項１から請求項５のいずれかに記載の文章作成装置。
【請求項７】
前記変換手段は、複数の前記第二文字データの候補を表示する表示手段と、前記複数の前記第二文字データの候補の中からいずれかの前記第二文字データを利用者が選択可能にする選択手段とを有し、前記計測値を利用者が選択した前記第二文字データに変換することを特徴とする請求項１から請求項５のいずれかに記載の文章作成装置。
【請求項８】
前記第二記憶制御手段は、前記第一記憶制御手段により特定の文字もしくは特定の特殊記号を示す前記第一文字データが記憶された前記文章作成領域の位置に前記第二文字データを記憶することを特徴とする請求項１から請求項７のいずれかに記載の文書作成装置。
【請求項９】
前記第二文字データを記憶する位置を指定する挿入指示手段を備え、
前記第二記憶制御手段は、前記挿入指示手段が利用者に操作されることにより指示された前記文章作成領域の位置に前記第二文字データを記憶することを特徴とする請求項１から請求項７のいずれかに記載の文章作成装置。
【請求項１０】
前記第二記憶制御手段は、前記文章作成領域の予め設定された位置に前記第二文字データを記憶することを特徴とする請求項１から請求項７のいずれかに記載の文章作成装置。
【請求項１１】
前記変換手段は、前記特定の文字もしくは特定の特殊記号を利用者が入力した時の前記計測値に基づいて、前記第二文字データに変換することを特徴とする請求項８記載の文章作成装置。
【請求項１２】
前記変換手段は、利用者が前記挿入指示手段を操作した時の前記計測値に基づいて、前記第二文字データに変換することを特徴とする請求項９記載の文章作成装置。
【請求項１３】
前記変換手段は、利用者が文章を作成する前に所定の操作を行なった時の前記計測値に基づいて、前記第二文字データに変換することを特徴とする請求項１から請求項１２のいずれかに記載の文章作成装置。
【請求項１４】
前記第二記憶制御手段は、電子メールの送信が決定された時に、前記第二文字データを前記文章作成領域に記憶することを特徴とする請求項３から請求項１３のいずれかに記載の文章作成装置。
【請求項１５】
人の生体情報の計測値又は本文章作成補助装置の周囲の環境の計測値を取得する計測値取得手段と、
前記計測値取得手段で取得した計測値を、前記計測値に対応する文字のデータである第二文字データに変換する変換手段と、
利用者による入力操作により入力された文字のデータである第一文字データを文章作成領域に記憶する第一記憶制御手段を備えた文章作成装置へ、前記第二文字データを送信する第二文字データ送信手段を備えた文章作成補助装置。
【請求項１６】
コンピュータを、
利用者による入力操作により入力された文字のデータである第一文字データを、文章データを記憶する文章作成領域に記憶する第一記憶制御手段と、
人の生体情報の計測値又は本文章作成装置の周囲の環境の計測値を取得する計測値取得手段と、
前記計測値取得手段で取得した計測値を、前記計測値に対応する文字のデータである第二文字データに変換する変換手段と、
前記第二文字データを前記文章作成領域に記憶する第二記憶制御手段として機能させることを特徴とする文章作成プログラム。
【請求項１７】
コンピュータを、
人の生体情報の計測値又は本文章作成補助装置の周囲の環境の計測値を取得する計測値取得手段と、
前記計測値取得手段で取得した計測値を、前記計測値に対応する文字のデータである第二文字データに変換する変換手段と、
利用者による入力操作により入力された文字のデータである第一文字データを文章作成領域に記憶する第一記憶制御手段を備えた文章作成装置へ、前記第二文字データを送信する第二文字データ送信手段として機能させることを特徴とする文章作成補助プログラム。
【発明の詳細な説明】
【技術分野】
【０００１】
本発明は、文章作成装置、文章作成補助装置、文章作成プログラム、及び、文章作成補助プログラムに関する。
【背景技術】
【０００２】
従来、携帯電話端末やパーソナルコンピュータ等において電子メールの送信を行なう場合、その文章の内容はメール発信者が文章を考えて入力していた。しかしながら、自分の気持ちや感情を正確に文章にするのを恥ずかしく思う人が多いため、自分の本当の気持ちや感情を入力した文章を作成することが困難であった。このため相手に本当の気持ちが伝わらないことがあった。これは電子メールに限らず、Ｗｏｒｄ（登録商標）、Ｅｘｃｅｌ（登録商標）、一太郎（登録商標）等の種々の文章作成ソフトで他人に見せることを目的として作成する文書においても同様である。
【０００３】
またこれとは別に特許文献１には、利用者の生理的変化を検出するセンサを備え、入力者の感情を予測し、電子メールの送信相手にジェスチャーや効果音等で入力者の感情伝達するロボットが開示されている。
【０００４】
【特許文献１】特開２００３−３４５７２７号公報
【発明の開示】
【発明が解決しようとする課題】
【０００５】
しかしながら、特許文献１記載の発明では、単にロボットが送信相手にジェスチャーや効果音を発生させるだけであり、電子メールの文章は入力者がキー入力や音声入力により直接入力した文章であるために、この発明においても自分の本当の気持ちや感情を入力した文章を作成することは困難であった。
【０００６】
本発明は、上述した問題点を解決するためになされたものであり、利用者の生体情報や本装置の周囲の環境の情報に基づいて客観的に入力される文字を含んだ文章を作成する文章作成装置、文章作成補助装置、文章作成プログラム、及び、文章作成補助プログラムを提供することを目的とする。
【課題を解決するための手段】
【０００７】
この目的を達成するために、請求項１記載の文章作成装置は、利用者による入力操作により入力された文字もしくは特殊記号のデータである第一文字データを、文章データを記憶する文章作成領域に記憶する第一記憶制御手段と、人の生体情報の計測値又は本文章作成装置の周囲の環境の計測値を取得する計測値取得手段と、前記計測値取得手段で取得した計測値を、前記計測値に対応する文字のデータである第二文字データに変換する変換手段と、前記第二文字データを前記文章作成領域に記憶する第二記憶制御手段とを備える。
【０００８】
また、請求項２記載の文章作成装置は、請求項１記載の文章作成装置であって、前記変換手段は、前記計測値に対応する第二文字データとしてのテキストデータに変換することを特徴とする。
【０００９】
また、請求項３記載の文章作成装置は、請求項１または請求項２に記載の文章作成装置であって、前記文章作成領域に記憶された文章データを電子メールとして送信する送信制御手段を備えたことを特徴とする。
【００１０】
また、請求項４記載の文章作成装置は、請求項１から請求項３のいずれかに記載の文章作成装置であって、前記第二記憶制御手段は、前記第二文字データを記憶する際に、自動で入力されたものであることを示す第三文字データを前記文章作成領域に記憶することを特徴とする。
【００１１】
また、請求項５記載の文章作成装置は、請求項１から請求項４のいずれかに記載の文章作成装置であって、前記変換手段は、前記計測値に基づいて人の感情又は周囲の状況を推論する推論手段と、前記推論手段による推論結果に基づいて前記第二文字データを生成する文字生成手段とを有することを特徴とする。
【００１２】
また、請求項６記載の文章作成装置は、請求項１から請求項５のいずれかに記載の文章作成装置であって、前記変換手段で変換される第二文字データの文体のモードを選択するモード選択手段を備え、前記変換手段は、モード選択手段で選択された文体のモードに基づいて第二文字データに変換することを特徴とする。
【００１３】
また、請求項７記載の文章作成装置は、請求項１から請求項５のいずれかに記載の文章作成装置であって、前記変換手段は、複数の前記第二文字データの候補を表示する表示手段と、前記複数の前記第二文字データの候補の中からいずれかの前記第二文字データを利用者が選択可能にする選択手段とを有し、前記計測値を利用者が選択した前記第二文字データに変換することを特徴とする。
【００１４】
また、請求項８記載の文章作成装置は、請求項１から請求項７のいずれかに記載の文書作成装置であって、前記第二記憶制御手段は、前記第一記憶制御手段により特定の文字もしくは特定の特殊記号を示す前記第一文字データが記憶された前記文章作成領域の位置に前記第二文字データを記憶することを特徴とする。
【００１５】
また、請求項９記載の文章作成装置は、請求項１から請求項７のいずれかに記載の文章作成装置であって、前記第二文字データを記憶する位置を指定する挿入指示手段を備え、前記第二記憶制御手段は、前記挿入指示手段が利用者に操作されることにより指示された前記文章作成領域の位置に前記第二文字データを記憶することを特徴とする。
【００１６】
また、請求項１０記載の文章作成装置は、請求項１から請求項７のいずれかに記載の文章作成装置であって、前記第二記憶制御手段は、前記文章作成領域の予め設定された位置に前記第二文字データを記憶することを特徴とする。
【００１７】
また、請求項１１記載の文章作成装置は、請求項８記載の文章作成装置であって、前記変換手段は、前記特定の文字もしくは特定の特殊記号を利用者が入力した時の前記計測値に基づいて、前記第二文字データに変換することを特徴とする。
【００１８】
また、請求項１２記載の文章作成装置は、請求項９記載の文章作成装置であって、前記変換手段は、利用者が前記挿入指示手段を操作した時の前記計測値に基づいて、前記第二文字データに変換することを特徴とする。
【００１９】
また、請求項１３記載の文章作成装置は、請求項１から請求項１２のいずれかに記載の文章作成装置であって、前記変換手段は、利用者が文章を作成する前に所定の操作を行なった時の前記計測値に基づいて、前記第二文字データに変換することを特徴とする。
【００２０】
また、請求項１４記載の文章作成装置は、請求項３から請求項１３のいずれかに記載の文章作成装置であって、前記第二記憶制御手段は、電子メールの送信が決定された時に、前記第二文字データを前記文章作成領域に記憶することを特徴とする。
【００２１】
また、請求項１５記載の文章作成補助装置は、人の生体情報の計測値又は本文章作成補助装置の周囲の環境の計測値を取得する計測値取得手段と、前記計測値取得手段で取得した計測値を、前記計測値に対応する文字のデータである第二文字データに変換する変換手段と、利用者による入力操作により入力された文字もしくは特殊記号のデータである第一文字データを文章作成領域に記憶する第一記憶制御手段を備えた文章作成装置へ、前記第二文字データを送信する第二文字データ送信手段を備えた文章作成補助装置。
【００２２】
また、請求項１６記載の文章作成プログラムは、コンピュータを、利用者による入力操作により入力された文字もしくは特殊記号のデータである第一文字データを、文章データを記憶する文章作成領域に記憶する第一記憶制御手段と、人の生体情報の計測値又は本文章作成装置の周囲の環境の計測値を取得する計測値取得手段と、前記計測値取得手段で取得した計測値を、前記計測値に対応する文字のデータである第二文字データに変換する変換手段と、前記第二文字データを前記文章作成領域に記憶する第二記憶制御手段として機能させる。
【００２３】
また、請求項１７記載の文章作成補助プログラムは、コンピュータを、人の生体情報の計測値又は本文章作成補助装置の周囲の環境の計測値を取得する計測値取得手段と、前記計測値取得手段で取得した計測値を、前記計測値に対応する文字のデータである第二文字データに変換する変換手段と、利用者による入力操作により入力された文字のデータである第一文字データを文章作成領域に記憶する第一記憶制御手段を備えた文章作成装置へ、前記第二文字データを送信する第二文字データ送信手段として機能させることを特徴とする。
【発明の効果】
【００２４】
請求項１記載の文章作成装置によれば、利用者の生体情報又は本文章作成装置の周囲の環境に基づいて客観的に入力される文字を含んだ文章を作成することができる。
【００２５】
また、請求項２記載の文章作成装置によれば、請求項１記載の文章作成装置が奏する効果に加え、前記変換手段は、前記計測値に対応する第二文字データとしてのテキストデータに変換できる。
【００２６】
また、請求項３記載の文章作成装置によれば、請求項１または請求項２記載の文章作成装置が奏する効果に加え、作成した文章を電子メールとして送信することができる。
【００２７】
また、請求項４記載の文章作成装置によれば、請求項１から請求項３のいずれかに記載の文章作成装置が奏する効果に加え、文章作成装置で作成された文章を見た人が、文章中の文字が利用者の生体情報又は本文章作成装置の周囲の環境に基づいて客観的に入力された文字であるか否かを判断することができる。
【００２８】
また、請求項５記載の文章作成装置によれば、請求項１から請求項４のいずれかに記載の文章作成装置が奏する効果に加え、前記変換手段は利用者の感情又は本文章作成装置の周囲の環境に合った前記第二文字データを生成することができる。
【００２９】
また、請求項６記載の文章作成装置によれば、請求項１から請求項５のいずれかに記載の文章作成装置が奏する効果に加え、利用者が文体のモードを選択することができる。
【００３０】
また、請求項７記載の文章作成装置によれば、請求項１から請求項５のいずれかに記載の文章作成装置が奏する効果に加え、利用者が候補の中から選択したものが前記第二文字データに変換される。
【００３１】
また、請求項８記載の文章作成装置によれば、請求項１から請求項７のいずれかに記載の文章作成装置が奏する効果に加え、利用者は特定の文字もしくは特定の特殊記号を入力することにより、利用者の生体情報に基づいて客観的に入力される文字を含んだ文章を作成することができる。
【００３２】
また、請求項９記載の文章作成装置によれば、請求項１から請求項７のいずれかに記載の文章作成装置が奏する効果に加え、利用者は前記挿入指示手段を操作することにより、利用者の生体情報に基づいて客観的に入力される文字を含んだ文章を作成することができる。
【００３３】
また、請求項１０記載の文章作成装置によれば、請求項１から請求項７のいずれかに記載の文章作成装置が奏する効果に加え、前記文章作成領域の予め設定された位置に前記第二文字データが記憶される。
【００３４】
また、請求項１１記載の文章作成装置によれば、請求項８記載の文章作成装置が奏する効果に加え、利用者が前記特定の文字もしくは特定の特殊記号を入力したときの前記計測値に基づいて、前記第二文字データが変換される。
【００３５】
また、請求項１２記載の文章作成装置によれば、請求項９記載の文章作成装置が奏する効果に加え、利用者が前記挿入指示手段を操作したときの前記計測値に基づいて、前記第二文字データが変換される。
【００３６】
また、請求項１３記載の文章作成装置によれば、請求項１から請求項１２のいずれかに記載の文章作成装置が奏する効果に加え、利用者が文章を作成する前に所定の動作を行なった時の前記計測値に基づいて、前記第二文字データが変換される。
【００３７】
また、請求項１４記載の文章作成装置によれば、請求項３から請求項１３のいずれかに記載の文章作成装置が奏する効果に加え、利用者は文章作成中に利用者の生体情報に基づいて客観的に入力される文字を知ることがないので、安心して文章を作成することができる。
【００３８】
また、請求項１５記載の文章作成補助装置によれば、利用者の生体情報又は本文章作成補助装置の周囲の環境に基づいて客観的に入力される文字を含んだ文章を作成することができる。
【００３９】
また、請求項１６記載の文章作成プログラムによれば、利用者の生体情報又は本文章作成装置の周囲の環境に基づいて客観的に入力される文字を含んだ文章を作成することができる。
【００４０】
また、請求項１７記載の文章作成補助プログラムによれば、利用者の生体情報又は本文章作成補助装置の周囲の環境に基づいて客観的に入力される文字を含んだ文章を作成することができる。
【発明を実施するための最良の形態】
【００４１】
以下、本発明の実施の形態について図面を参照して説明する。第一の実施形態では、本発明の文章作成装置である携帯電話機１において、電子メールの文章を作成中に後述の感情表現文章挿入キー７が押下されたときに、携帯電話機１の利用者の生体の情報（体温、心拍数など。以下「生体情報」とよぶ。）を計測して、利用者の感情（興奮、鳥肌がたつ、好感など。以下、「感情状態」とよぶ。）を推論し、その感情状態に合わせた文章（以下「感情表現文章」と呼ぶ）を推論し、それを電子メールに挿入する。
【００４２】
図１は、携帯電話機１の外観図である。図１に示すように、携帯電話機１には、ディスプレイ２と、キー入力部３と、体温センサ１１、心拍センサ１２、圧力センサ１３、発汗センサ１４とを備える。
【００４３】
ディスプレイ２は携帯電話機１の操作に伴い各種画面を表示する。キー入力部３は電子メールの本文等を作成したり、メニュー選択を行なったりするための複数のキーから形成される。尚、後述する感情表現文章挿入キー７はキー入力部３に含まれる。
【００４４】
体温センサ１１、心拍センサ１２、圧力センサ１３、発汗センサ１４は、上述のキー入力部３が配置された筐体の側面に形成されている。体温センサ１１は、白金測温抵抗体、サーミスタ、熱電対などを用いている、所謂温度計であり、装置に触れている手のひらや指の温度を計測する。心拍センサ１２は、所謂圧力センサであり、携帯電話機１の表面に設けられている。そして、血流の圧力を計測して触れている人の心拍（脈拍数）を計測する。圧力センサ１３は、利用者が携帯電話機１を持っているときの圧力を計測する。発汗センサ１４は、触れている者の発汗量を計測する。
【００４５】
図２は携帯電話機１の電気的構成を示すブロック図である。図２に示すように、携帯電話機１には、携帯電話機１全体の制御を行なうＣＰＵ４と、データを一時的に記憶するＲＡＭ４００と、携帯電話機１を制御するプログラムを記憶したＲＯＭ５とが内蔵されている。そして、ＣＰＵ４には、各種画面を表示するディスプレイ２と、文字等を入力するキー入力部３と、電話や電子メールの信号を乗せた電波の送受信を行なう送受信部６と、プログラムや各種情報を記憶したハードディスク３００とが接続されている。
【００４６】
尚、ディスプレイ２は、ＣＰＵ４からの信号に基づいて表示を制御する表示制御部を備えている。また、キー入力部３、送受信部６、体温センサ１１、心拍センサ１２、圧力センサ１３及び発汗センサ１４は、ＣＰＵ４とのインターフェース回路を備えている。また、ハードディスク３００はハードディスクドライバを備えている。
【００４７】
また、ＣＰＵ４には、生体センサである体温センサ１１、心拍センサ１２及び発汗センサ１４が接続されている。
【００４８】
本実施形態で使用されるデータについて説明する。図３はハードディスク３００の構成を示す模式図である。図４はＲＡＭ４００の構成を示す模式図である。
【００４９】
図３に示すようにハードディスク３００は、感情状態推論テーブル記憶領域３０１と感情表現文章テーブル記憶領域３０２とを備えている。
【００５０】
感情状態推論テーブル記憶領域３０１には、図５に示す第一感情状態推論テーブル３１１と図６に示す第二感情状態推論テーブル３１２とが記憶されている。
【００５１】
本実施形態の携帯電話機１においては、挿入する文章の文体のモード（以下、感情モードと称す）を、好感モードと嫌悪モードの２つのモードから選択できるようになっている。好感モードが選択された場合には後述する感情推論処理において第一感情状態推論テーブル３１１が使用され、嫌悪モードが選択された場合には後述する感情推論処理において第二感情状態推論テーブル３１２が使用される。
【００５２】
図５に示す第一感情状態推論テーブル３１１について説明する。第一感情状態推論テーブル３１１には、後述する体温状態判別処理、心拍状態判別処理、圧力状態判別処理、発汗状態判別処理で求められる変数である「ｔｅｍｐ」、「ｈｂｅａｔ」、「ｐｒｅｓｓ」、「ｓｗｅａｔ」の値がどのような時にどのような「感情状態」となるかが記憶されている。
【００５３】
尚、後述する体温状態判別処理で求められる「ｔｅｍｐ」は、体温センサ１１からの計測値に基づき設定される変数である。また、後述する心拍状態判別処理で求められる「ｈｂｅａｔ」は、心拍センサ１２からの計測値に基づき設定される変数である。また、後述する圧力状態判別処理で求められる「ｐｒｅｓｓ」は、圧力センサ１３からの計測値に基づき設定される変数である。また、後述する発汗状態判別処理で求められる「ｓｗｅａｔ」は、発汗センサ１４からの計測値に基づき設定される変数である。
【００５４】
本第一の実施形態の好感モードでは、「感情状態」として「興奮」、「鳥肌が立つ」、「ちょっと興奮」、「好感」の４つの状態を扱うものとする。図５に示す第一感情状態推論テーブル３１１には、「興奮」、「鳥肌が立つ」、「ちょっと興奮」、「好感」の４つの状態に対応する変数「ｔｅｍｐ」、「ｈｂｅａｔ」、「ｐｒｅｓｓ」、「ｓｅｅｔ」の値が、それぞれ対応付けられている。
【００５５】
図５に示す第一感情状態推論テーブル３１１では、変数ｔｅｍｐが３、変数ｈｂｅａｔが３、変数ｐｒｅｓｓが３、かつ、ｓｗｅａｔが２以下の場合に、感情状態の「興奮」が対応付けられている。また、ｔｅｍｐが２以下、ｈｂｅａｔが２以下、ｐｒｅｓｓが２以下、かつ、ｓｗｅａｔが３の場合に、感情状態の「鳥肌が立つ」が対応付けられている。また、ｔｅｍｐが３、ｈｂｅａｔが２以下、ｐｒｅｓｓが２以下、かつ、ｓｗｅａｔが２以下の場合に、感情状態の「ちょっと興奮」が対応付けられている。また、ｔｅｍｐが２、ｈｂｅａｔが２、ｐｒｅｓｓが２、かつ、ｓｗｅａｔが２の場合に、感情状態の「好感」が対応付けられている。
【００５６】
そして、それぞれの「感情状態」を示す値である感情状態推論値として、「興奮」は「１」、「鳥肌が立つ」は「２」、「ちょっと興奮」は「３」が対応付けられている。「好感」は「４」が対応付けられている。感情状態推論値は後述する感情表現文章挿入処理で用いられる。
【００５７】
図６に示す第二感情状態推論テーブル３１２について説明する。第一感情状態推論テーブル３１１同様に第二感情状態推論テーブル３１２には、後述する体温状態判別処理、心拍状態判別処理、圧力状態判別処理、発汗状態判別処理で求められる変数である「ｔｅｍｐ」、「ｈｂｅａｔ」、「ｐｒｅｓｓ」、「ｓｗｅａｔ」の値がどのような時にどのような「感情状態」となるかが記憶されている。
【００５８】
本第一の実施形態の嫌悪モードでは、「感情状態」として「大興奮」、「悲壮感」、「落ち込み」、「混乱」の４つの状態を扱うものとする。図６に示す第二感情状態推論テーブル３１２には、「大興奮」、「悲壮感」、「落ち込み」、「混乱」の４つの状態に対応する変数「ｔｅｍｐ」、「ｈｂｅａｔ」、「ｐｒｅｓｓ」、「ｓｅｅｔ」の値が、それぞれ対応付けられている。
【００５９】
図６に示す第二感情状態推論テーブル３１２では、変数ｔｅｍｐが３、変数ｈｂｅａｔが３、変数ｐｒｅｓｓが３、かつ、ｓｗｅａｔが２以下の場合に、感情状態の「大興奮」が対応付けられている。また、ｔｅｍｐが１、ｈｂｅａｔが１、ｐｒｅｓｓが３、かつ、ｓｗｅａｔが２の場合に、感情状態の「悲壮感」が対応付けられている。また、ｔｅｍｐが１、ｈｂｅａｔが１、ｐｒｅｓｓが１、かつ、ｓｗｅａｔが１の場合に、感情状態の「落ち込み」が対応付けられている。また、ｔｅｍｐが２、ｈｂｅａｔが３、ｐｒｅｓｓが２、かつ、ｓｗｅａｔが２の場合に、感情状態の「混乱」が対応付けられている。
【００６０】
そして、それぞれの「感情状態」を示す値である感情状態推論値として、「大興奮」は「１０１」、「悲壮感」は「１０２」、「落ち込み」は「１０３」、「混乱」は「１０４」が対応付けられている。感情状態推論値は後述する感情表現文章挿入処理で用いられる。
【００６１】
ハードディスク３００の感情表現文章テーブル記憶領域３０２（図３参照）には、図７に示す感情表現文章テーブル３２１が記憶されている。
【００６２】
図７に示すように感情表現文章テーブル３２１には、それぞれの感情状態の場合に、電子メールに挿入する文章が記憶されている。
【００６３】
図７に示す例では、感情状態が「興奮」（感情状態推論値が１）の場合には「とてもうれしいよ！」という文章が対応付けられている。感情状態が「鳥肌が立つ」（感情状態推論値が２）の場合には「感動しています」という文章が対応付けられている。感情状態が「ちょっと興奮」（感情状態推論値が３）の場合には「いい感じだね」という文章が対応付けられている。感情状態が「好感」（感情状態推論値が４）の場合には「結構好きです」という文章が対応付けられている。感情状態が「大興奮」（感情状態推論値が１０１）の場合には「とても怒っています！」という文章が対応付けられている。感情状態が「悲壮感」（感情状態推論値が２）の場合には「すごく悲しい」という文章が対応付けられている。感情状態が「落ち込み」（感情状態推論値が１０３）の場合には「へこんでいます」という文章が対応付けられている。感情状態が「混乱」（感情状態推論値が１０４）の場合には「焦っています」という文章が対応付けられている。
【００６４】
即ち、感情表現文章挿入キー７が押下された時に、例えば、感情状態が「興奮」（感情状態推論値が１）の場合には、後述する感情表現文章挿入処理において「☆：とてもうれしいよ！」という文章が挿入される。
【００６５】
また、感情表現文章挿入キー７が押下された時に、例えば、感情状態が「鳥肌が立つ」（感情状態推論値が２）の場合には、後述する感情表現文章挿入処理において「☆：感動してきます」という文章が挿入される。
【００６６】
ここで、「☆：」の文字はコンピュータによって自動で入力されたものであることを示す。メールの受信者が「☆：」の直後の文章がコンピュータによって自動で入力されたものであることを知ることができる。
【００６７】
尚、感情表現文章を示すデータを第二文字データと称す。また、コンピュータによって自動で入力されたものであることを示す記号「☆：」に対応するデータを第三文字データと称す。
【００６８】
図４に示すＲＡＭ４００について説明する。図４に示すようにＲＡＭ４００は文章作成領域４０１、感情モード記憶領域４０２、センシングデータ保存バッファ４０３、判別結果記憶領域４０４、感情状態推論値記憶領域４０５を備える。
【００６９】
文章作成領域４０１は作成中の文章のデータである文章データを記憶する領域である。文章データは後述する第一文字データ、第二文字データ及び第三文字データの組み合わせである。
【００７０】
この文章作成領域４０１には、キー入力部３からの入力に伴い入力操作により入力された文字もしくは特殊記号のデータ（以下第一文字データと称す）が記憶される。ここで、文字もしくは特殊記号とは、漢字、ひらがな、カタカナ、数字、記号、句読点、アルファベット等の言語を表記するのに用いる符号だけでなく、絵文字、改行、スペース等の文章を構成するためにキー入力部３から入力される全てのものを含む。
【００７１】
この文章作成領域４０１に記憶された文章データに基づいて、ディスプレイ２には文章が表示される。
【００７２】
感情モード記憶領域４０２は、利用者が好感モードと嫌悪モードのいずれのモードを選択したかを示す変数である「ｅ＿ｍｏｄｅ」の値を記憶する領域である。尚、ｅ＿ｍｏｄｅの値が１のときは好感モードを示し、ｅ＿ｍｏｄｅの値が２のときは嫌悪モードを示すものとする。
【００７３】
センシングデータ保存バッファ４０３は、体温センサ１１、心拍センサ１２、圧力センサ１３、及び、発汗センサ１４からの計測値を記憶しておく領域である。
【００７４】
判別結果記憶領域４０４は、上述の変数ｔｅｍｐ、ｈｂｅａｔ、ｐｒｅｓｓ、ｓｗｅａｔの値を記憶する領域である。
【００７５】
感情状態推論値記憶領域４０５は、上述の感情状態推論値を記憶する領域である。
【００７６】
次に、本第一の実施形態の携帯電話機１において、電子メールを作成し送信する処理について説明する。
【００７７】
図８は、利用者が図示しない電源ボタンを操作して、携帯電話機１の電源が入れられると開始される携帯電話機１のメイン処理のフローチャートである。
【００７８】
ＣＰＵ４はメイン処理を開始すると、キー入力部３から入力があるか否かを判断する（ステップ１１、以下ステップと単にＳと称す）。キー入力部３からの入力があった場合（Ｓ１１：ｙｅｓ）、その入力に対応する各処理を実行する（Ｓ１３）。このＳ１３で実行される処理には、後述する電子メール作成送信処理が含まれる。
【００７９】
Ｓ１３の各処理の実行を終了すると、図示しない電源ボタンが押下されるか否かを判断する（Ｓ１４）。電源ボタンが押下されていない場合は（Ｓ１４：ｎｏ）、Ｓ１１に戻る。電源ボタンが押下されている場合（Ｓ１４：ｙｅｓ）は、全ての処理を終了して電源が切られる（Ｓ１５）。
【００８０】
キー入力部３からの入力がない場合（Ｓ１１：ｎｏ）、電話の着信若しくはメールの受信があるか否かを判断する（Ｓ１２）。電話の着信若しくはメールの受信がある場合には（Ｓ１２：ｙｅｓ）、Ｓ１３にて電話の着信に対応する処理若しくはメールの受信に対応する各処理を実行する。
【００８１】
電話の着信若しくはメールの受信がない場合には（Ｓ１２：ｎｏ）、図示しない電源ボタンが押下されるか否かを判断する（Ｓ１４）。電源ボタンが押下されていない場合は（Ｓ１４：ｎｏ）、Ｓ１１に戻る。電源ボタンが押下されている場合（Ｓ１４：ｙｅｓ）は、全ての処理を終了して電源が切られる（Ｓ１５）。
【００８２】
Ｓ１１において、利用者がキー入力部３を操作して、携帯電話機１に備えられた操作項目のメニューの中から、メール作成の項目が選択した場合、Ｓ１３にて図９に示す電子メール作成送信処理を実行する。
【００８３】
電子メール作成送信処理について説明する。電子メール作成送信処理を開始すると、先ずメール作成処理（Ｓ１０２）を実行する。メール作成処理ではキー入力３から電子メールの宛先・題名・本文の入力を受付ける。メール作成処理の詳細は後述する。
【００８４】
メール作成処理の後述するＳ２０２において感情表現文章挿入キー７が押下されたと判断された場合は、感情モード指定処理（Ｓ１０３）を実行する。感情モード指定処理では、上述した好感モードや嫌悪モードの選択が行なわれる。その選択に伴い感情モード記憶領域４０２にｅ＿ｍｏｄｅの値を記憶する。感情モード指定処理の詳細は後述する。
【００８５】
次に、感情モード記憶領域４０２に記憶されているｅ＿ｍｏｄｅの値が１以上であるか否かを判断する（Ｓ１０４）。ｅ＿ｍｏｄｅの値が１以上でない場合は（Ｓ１０４：ｎｏ）、後述するＳ１０８へ移行する。
【００８６】
ｅ＿ｍｏｄｅの値が１以上である場合は（Ｓ１０４：ｙｅｓ）、計測値収集処理（Ｓ１０５）を実行する。計測値収集処理では各センサ（体温センサ１１、心拍センサ１２、圧力センサ１３、発汗センサ１４）からの計測値をセンシングデータ保存バッファ４０３に記憶する。計測値収集処理の詳細は後述する。
【００８７】
計測値収集処理を終了すると、感情推論処理（Ｓ１０６）を実行する。感情推論処理では、Ｓ１０５で取得した各センサからの計測値に基づいて、上述の感情状態推論値を算出し、感情状態推論値記憶領域４０５に記憶する。感情推論処理の詳細は後述する。
【００８８】
感情推論処理を終了すると、感情表現文章挿入処理（Ｓ１０７）を実行する。感情表現文章挿入処理では、感情状態推論値記憶領域４０６に記憶された感情状態推論値に基づいて、電子メールに挿入する感情表現文章を決定し、文章作成領域４０１にその感情表現文章を示す第二文字データを記憶する。感情表現文章挿入処理については後述する。
【００８９】
感情表現文章挿入処理を終了すると、メール送信処理（Ｓ１０８）を実行する。メール送信処理では、Ｓ１０２からＳ１０７において、文章作成領域４０１に記憶した文章のデータを電子メールとして、送信相手に送信する。メール送信処理の詳細は後述する。
【００９０】
メール送信処理を終了すると、メイン処理に戻り次のＳ１４に移行する。以下各処理について詳細に説明する。
【００９１】
メール作成処理（Ｓ１０２）について説明する。図１０はメール作成処理のフローチャートである。図１０に示すように、メール作成処理を開始すると、ディスプレイ２に宛先、題名、本文のうちいずれを入力するかを選択する画面を表示し、いずれかの項目（宛先、題名、本題のうちいずれか）が選択されるとそれぞれの項目を入力する画面を表示し、電子メールの宛先、題名、本文として、キー入力部３からの入力された第一文字データを文章作成領域４０１に記憶する（Ｓ２０１）。Ｓ２０１にて文章作成領域４０１に記憶された第一文字データがＣＰＵ４によりディスプレイ２に表示される。
【００９２】
次に、感情表現文章挿入キー７が押下されるか否かを判断する（Ｓ２０２）。感情表現文章挿入キー７が押下されていないと判断した場合は（Ｓ２０２：ｎｏ）、キー入力部３により電子メールの入力を終了する操作が行なわれたか否かを判断する（Ｓ２０３）。
【００９３】
電子メールの入力を終了する操作が行なわれないと判断した場合は（Ｓ２０３：ｎｏ）、Ｓ２０１に戻り再びキー入力部３から文章の入力を受付ける。
【００９４】
電子メールの入力を終了する操作が行なわれたと判断した場合は（Ｓ２０３：ｙｅｓ）、後述する電子メール作成送信処理のメール送信処理に移行する（Ｓ１０８）。
【００９５】
感情表現文章挿入キー７が押下されたと判断した場合は（Ｓ２０２：ｙｅｓ）、電子メール作成送信処理に戻り、電子メール作成送信処理の感情モード指定処理（Ｓ１０３）に移行する。
【００９６】
感情モード指定処理（Ｓ１０３）について説明する。図１１は感情モード指定処理のフローチャートである。図１１に示すように、感情モード指定処理を開始すると、感情モード記憶領域４０２に記憶されているｅ＿ｍｏｄｅの値を０に初期化する（Ｓ３０１）。
【００９７】
次に、キー入力部３の操作により好感モードが指定されるか否かを判断する（Ｓ３０２）。好感モードが指定された場合は（Ｓ３０２：ｙｅｓ）、ｅ＿ｍｏｄｅの値として１を感情モード記憶領域４０２に記憶し（Ｓ３０４）、電子メール作成送信処理の計測値収集処理（Ｓ１０５）に移行する。
【００９８】
好感モードが指定されない場合は（Ｓ３０２：ｎｏ）、キー入力部３の操作により嫌悪モードが指定されるか否かを判断する（Ｓ３０３）。嫌悪モードが指定された場合は（Ｓ３０３：ｙｅｓ）、ｅ＿ｍｏｄｅの値として２を感情モード記憶領域４０２に記憶し（Ｓ３０５）、電子メール作成送信処理に戻り、Ｓ１０４にてｙｅｓとなり計測値収集処理（Ｓ１０５）に移行する。
【００９９】
嫌悪モードが指定されない場合は（Ｓ３０３：ｎｏ）、電子メール作成送信処理に戻りＳ１０４にてｎｏとなりＳ１０８に移行する。即ち、ｅ＿ｍｏｄｅの値として０を感情モード記憶領域４０２に記憶したまま計測値収集処理に移行することになる。
【０１００】
計測値収集処理（Ｓ１０５）について説明する。図１２は計測値収集処理のフローチャートである。図１２に示すように、計測値収集処理を開始すると、センシングデータ保存バッファ４０３を初期化する（Ｓ５０１）。ここで初期化とは記憶されている計測値の値を全て０にすることである。
【０１０１】
次に、体温センサ１１、心拍センサ１２、圧力センサ１３、発汗センサ１４を起動する（Ｓ５０２）。
【０１０２】
ここで各センサは、体温センサ１１、心拍センサ１２、圧力センサ１３、発汗センサ１４の順に計測するものとする。そして各センサはそれぞれ計測すると、直ちにＣＰＵ４にその計測値を送信する。即ち、体温センサ１１が先ず計測し、計測した計測値をＣＰＵ４に送信する。体温センサ１１が計測値を送信し終わると、次に心拍センサ１２が計測し、計測した計測値をＣＰＵ４に送信する。心拍センサが計測値を送信し終わると、次に圧力センサ１３が計測し、計測した計測値をＣＰＵ４に送信する。圧力センサ１３が計測値を送信し終わると、次に発汗センサ１４が計測し、計測した計測値をＣＰＵ４に送信する。そして、発汗センサ１４が計測値を送信し終わると、体温センサ１１は５秒間待機した後、再び計測する。
【０１０３】
ＣＰＵ４は上述のような各センサをＳ１で起動した後、各センサからの計測値を受信したか否かを判断する（Ｓ５０３）。計測値を受信していない場合は（Ｓ５０３：ｎｏ）、計測値を受信するまで待機する。計測値を受信した場合は（Ｓ５０３：ｙｅｓ）、計測値をＲＡＭ４００のセンシングデータ保存バッファ４０３に記憶させる（Ｓ５０４）。
【０１０４】
計測値をセンシングデータ保存バッファ４０３に記憶させると、ＣＰＵ４は全てのセンサからの計測値をセンシングデータ保存バッファ４０３に記憶したが否かを判断する（Ｓ５０５）。全てのセンサの計測値を記憶していない場合は（Ｓ５０５：ｎｏ）、Ｓ５０３に戻る。全てのセンサの計測値を記憶している場合は（Ｓ５０５：ｙｅｓ）、電子メール作成送信処理に戻り、電子メール作成送信処理の感情推論処理（Ｓ１０６）に移行する。
【０１０５】
感情推論処理（Ｓ１０６）について説明する。図１３は感情推論処理のフローチャートである。図１３に示すように、感情推論処理を開始すると、感情状態推論値記憶領域４０５を初期化する（Ｓ６０１）。ここで初期化とは感情状態推論値記憶領域４０５に記憶されている感情状態推論値の値を０にすることである。
【０１０６】
次に体温状態判別処理（Ｓ６０２）を実行する。ここで状態判別処理について説明する。図１４に体温状態判別処理のフローチャートを示す。図１４に示すように体温状態判別処理を開始すると判別結果記憶領域４０４に記憶されている変数ｔｅｍｐの値を０に初期化する（Ｓ６２１）。
【０１０７】
センシングデータ保存バッファ４０３に記憶されている体温センサ１１の計測値が３６℃以下であるか否かを判断する（Ｓ６２２）。計測値が３６℃以下である場合は（Ｓ６２２：ｙｅｓ）、変数ｔｅｍｐの値として１を判別結果記憶領域４０４に記憶し（Ｓ６２４）、次の心拍状態判別処理（Ｓ６０３）に移行する。
【０１０８】
計測値が３６℃以下でない場合は（Ｓ６２２：ｎｏ）、計測値が３６．５℃以下であるか否かを判断する（Ｓ６２３）。計測値が３６．５℃以下である場合は（Ｓ６２３：ｙｅｓ）、変数ｔｅｍｐの値として２を判別結果記憶領域４０４に記憶し（Ｓ６２５）、心拍状態判別処理（Ｓ６０３）に移行する。
【０１０９】
計測値が３６．５℃以下でない場合は（Ｓ６２３：ｎｏ）、変数ｔｅｍｐの値として３を判別結果記憶領域４０４に記憶し（Ｓ６２６）、心拍状態判別処理（Ｓ６０３）に移行する。
【０１１０】
次に、心拍状態判別処理（Ｓ６０３）について説明する。図１５は心拍状態判別処理のフローチャートである。図１５に示すように、心拍状態判別処理を開始すると判別結果記憶領域４０４に記憶されている変数ｈｂｅａｔの値を０に初期化する（Ｓ６３１）。
【０１１１】
センシングデータ保存バッファ４０３に記憶されている心拍センサ１２の計測値が７５回／分  以下であるか否かを判断する（Ｓ６３２）。計測値が７５回／分  以下である場合は（Ｓ６３２：ｙｅｓ）、変数ｈｂｅａｔの値として１を判別結果記憶領域４０４に記憶し（Ｓ６３４）、次の圧力状態判別処理（Ｓ６０４）に移行する。
【０１１２】
計測値が７５回／分  以下でない場合は（Ｓ６３２：ｎｏ）、計測値が８５回／分  以下であるか否かを判断する（Ｓ６３３）。計測値が８５回／分  以下である場合は（Ｓ６３３：ｙｅｓ）、変数ｈｂｅａｔの値として２を判別結果記憶領域４０４に記憶し（Ｓ６３５）、圧力状態判別処理（Ｓ６０４）に移行する。
【０１１３】
計測値が８５回／分  以下でない場合は（Ｓ６３３：ｎｏ）、変数ｈｂｅａｔの値として３を判別結果記憶領域４０４に記憶し（Ｓ６３６）、圧力状態判別処理（Ｓ６０４）に移行する。
【０１１４】
次に、圧力状態判別処理（Ｓ６０４）について説明する。図１６は圧力状態判別処理のフローチャートである。図１６に示すように、圧力状態判別処理を開始すると判別結果記憶領域４０４に記憶されている変数ｐｒｅｓｓの値を０に初期化する（Ｓ６４１）。
【０１１５】
センシングデータ保存バッファ４０３に記憶されている圧力センサ１３の計測値が１ｋｇ重  以下であるか否かを判断する（Ｓ６４２）。計測値が１ｋｇ重  以下である場合は（Ｓ６４２：ｙｅｓ）、変数ｐｒｅｓｓの値として１を判別結果記憶領域４０４に記憶し（Ｓ６４４）、次の発汗状態判別処理（Ｓ６０５）に移行する。
【０１１６】
計測値が１ｋｇ重  以下でない場合は（Ｓ６４２：ｎｏ）、計測値が５ｋｇ重  以下であるか否かを判断する（Ｓ６４３）。計測値が５ｋｇ重  以下である場合は（Ｓ６４３：ｙｅｓ）、変数ｐｒｅｓｓの値として２を判別結果記憶領域４０４に記憶し（Ｓ６４５）、発汗状態判別処理（Ｓ６０５）に移行する。
【０１１７】
計測値が５ｋｇ重  以下でない場合は（Ｓ６４３：ｎｏ）、変数ｐｒｅｓｓの値として３を判別結果記憶領域４０４に記憶し（Ｓ６４６）、発汗状態判別処理（Ｓ６０５）に移行する。
【０１１８】
次に、発汗状態判別処理（Ｓ６０５）について説明する。図１７は発汗状態判別処理のフローチャートである。図１７に示すように、発汗状態判別処理を開始すると判別結果記憶領域４０４に記憶されている変数ｓｗｅａｔの値を０に初期化する（Ｓ６５１）。
【０１１９】
センシングデータ保存バッファ４０３に記憶されている発汗センサ１４の計測値が１ｍｇ以下であるか否かを判断する（Ｓ６５２）。計測値が１ｍｇ以下である場合は（Ｓ６５２：ｙｅｓ）、変数ｓｗｅａｔの値として１を判別結果記憶領域４０４に記憶し（Ｓ６５４）、次の処理（Ｓ６０６）に移行する。
【０１２０】
計測値が１ｍｇ以下でない場合は（Ｓ６５２：ｎｏ）、計測値が１０ｍｇ以下であるか否かを判断する（Ｓ６５３）。計測値が１０ｍｇ以下である場合は（Ｓ６５３：ｙｅｓ）、変数ｓｗｅａｔの値として２を判別結果記憶領域４０４に記憶し（Ｓ６５５）、次の処理（Ｓ６０６）に移行する。
【０１２１】
計測値が１０ｍｇ以下でない場合は（Ｓ６５３：ｎｏ）、変数ｓｗｅａｔの値として３を判別結果記憶領域４０４に記憶し（Ｓ６５６）、次の処理（Ｓ６０６）に移行する。
【０１２２】
上述のＳ６０２からＳ６０５において４つの変数の値を判別結果記憶領域４０４に記憶すると、判別結果記憶領域４０４に記憶された４つの変数の値と、感情状態推論テーブル記憶領域３０１に記憶されている第一感情状態推論テーブル３１１もしくは第二感情状態推論テーブル３１２に基づき、感情状態推論値を算出して感情状態推論値記憶領域４０５にその値を記憶する（Ｓ６０６）。このとき感情モード記憶領域４０２に記憶されている変数ｅ＿ｍｏｄｅの値を参照し、変数ｅ＿ｍｏｄｅの値が１のとき（利用者により好感モードが指定されているとき）は、第一感情状態推論テーブル３１１を用いて、感情状態推論値を算出する。また変数ｅ＿ｍｏｄｅの値が２のとき（利用者により嫌悪モードが指定されているとき）は、第二感情状態推論テーブル３１２を用いて、感情状態推論値を算出する。
【０１２３】
尚、判別結果記憶領域４０４に記憶されている４つの変数の値の組み合わせが、第一感情状態推論テーブル３１１もしくは第二感情状態推論テーブル３１２のいずれの組み合わせにも当てはまらない場合は、感情状態推論値の値は０のままにしておく。
【０１２４】
Ｓ６０６において、感情状態推論値の値を感情状態推論値記憶領域４０５に記憶した後、電子メール作成送信処理に戻り、感情表現文章挿入処理（Ｓ１０７）に移行する。
【０１２５】
感情表現文章挿入処理（Ｓ１０７）について説明する。図１８は感情表現文章挿入処理のフローチャートである。図１８に示すように、感情表現文章挿入処理を開始すると、感情状態推論値記憶領域４０５に記憶されている感情状態推論値と感情表現文章テーブル記憶領域３０２に記憶されている感情表現文章テーブル３２１とに基づいて、電子メールに挿入する感情表現文章を決定する（Ｓ７０１）。尚、感情状態推論値記憶領域４０５に記憶４０５されている感情状態推論値が０である場合は、電子メールには感情表現文章を挿入しないことを決定する。
【０１２６】
そして決定された感情表現文章に対応する第二文字データを文章作成領域４０１に記憶する（Ｓ７０２）。このとき、コンピュータによって自動で入力されたものであることを示す記号「☆：」に対応する第三文字データも文章作成領域４０１に記憶する。正確には第三文字データの次に第二文字データを記憶する。挿入する第二文字データ及び第三文字データは、感情表現文章挿入キー７が押下されたときのカーソル８（後述する）の位置に対応する文章作成領域４０１の位置に記憶される。
【０１２７】
尚、Ｓ７０１において、感情状態推論値が０であるため、電子メールには感情表現文章を挿入しないことが決定されている場合は、Ｓ７０２では文章作成領域４０１には何も記憶させない。
【０１２８】
メール送信処理（Ｓ１０８）について説明する。図１９はメール送信処理のフローチャートである。図１９に示すように、メール送信処理を開始すると、キー入力部３によりメール送信の操作が行なわれたか否かを判断する（Ｓ８０１）。メール送信の操作が行なわれた場合は（Ｓ８０１：ｙｅｓ）、送受信部６より電子メールを送信し（Ｓ８０２）、電子メール作成送信処理に戻る。
【０１２９】
メール送信の操作が行なわれなかった場合は（Ｓ８０１：ｎｏ）、そのまま電子メール作成送信処理のＳ１０２に戻るので電子メールは送信されない。
【０１３０】
図２０は上述のＳ２０１における、ディスプレイ２に表示される電子メールの本文入力中の画面の概略図である。ディスプレイ２には文章作成領域４０１に記憶された文章データに対応する文章が表示されている。尚、この画面には入力中の位置を示すカーソル８が表示されている。カーソル８はキー入力部３により第一文字データが入力されるたびに次の入力位置に移動する。若しくは、キー入力部３の図示しない十字ボタンが操作されることにより、十字ボタンにより指示された入力位置のカーソル８は移動する。
【０１３１】
図２０の状態で感情表現文章挿入キー７が押下されると、Ｓ２０２にてｙｅｓとなり、Ｓ１０３からＳ１０７を経て、図２０のカーソル８の位置に感情表現文章が、記号「☆：」と共に挿入される。このように記号「☆：」が感情表現文章の前に挿入されるので、電子メールを受け取った人は、利用者の生体情報又は本文章作成装置の周囲の環境に基づいて客観的に入力された文字であるか否かを判断することができる。感情表現文章が挿入された場合の画面の概略図を図２１、図２２に示す。
【０１３２】
ここでは、計測値収集処理（Ｓ１０５）において計測された計測値が、体温が３６．６℃、心拍が９０回／分、圧力が１０ｋｇ重、発汗量が３ｍｇであったとする。この場合、感情推論処理（Ｓ１０５）の体温状態判別処理（Ｓ６０２）において変数ｔｅｍｐの値が３、心拍状態判別処理（Ｓ６０３）において変数ｈｂｅａｔの値が３、圧力状態判別処理（Ｓ６０４）において変数ｐｒｅｓｓの値が３、発汗状態判別処理（Ｓ６０５）変数ｓｗｅａｔの値が２と算出される。
【０１３３】
従って、電子メール作成送信処理の感情モード指定処理（Ｓ１０３）において、好感モードが指定されている場合は、図２１に示すように「☆：とてもうれしいよ！」という文章が挿入される。図２０のカーソル８の位置に対応する文章作成領域４０１の位置に「☆：とてもうれしいよ！」を示す第三文字データ及び第二文字データが記憶される。また、嫌悪モードが指定されている場合は、図２２に示すように「☆：とても怒っています！」という文章が挿入される。
【０１３４】
第一の実施形態において、Ｓ１０２を実行するＣＰＵ４が本発明の第一記憶制御手段に相当する。Ｓ１０５を実行するＣＰＵ４が本発明の計測値取得手段に相当する。Ｓ１０６及びＳ７０１を実行するＣＰＵ４が本発明の変換手段に相当する。Ｓ１０６を実行するＣＰＵ４が本発明の推論手段に相当する。Ｓ７０１を実行するＣＰＵ４が本発明の文字生成手段に相当する。Ｓ１０４を実行するＣＰＵ４が本発明のモード選択手段に相当する。感情表現文章挿入キー７及びカーソル８が本発明の挿入指示手段に相当する。
【０１３５】
第二の実施形態について説明する。第一の実施形態では感情モードを選択したが、第二の実施形態では複数の感情表現文章の候補をディスプレイ２に表示させ、利用者に挿入する感情表現文章を選択させる。
【０１３６】
第二の実施形態について、第一の実施形態において説明したものと同様のものについては、第一の実施形態と同一の符号を用いて説明し、ここでは、第一の実施形態の携帯電話機１とは異なる部分についてのみ説明する。
【０１３７】
図２３は携帯電話機１００の電気的構成を示すブロック図である。また、携帯電話機１００の外観は図１の携帯電話機１の外観と同様なので省略する。
【０１３８】
図２３に示すように、携帯電話機１００のＣＰＵ４には、第一の実施形態におけるハードディスク３００及びＲＡＭ４００の代わりに、ハードディスク３５０及びＲＡＭ４５０が接続される。
【０１３９】
図２４はハードディスク３５０の構成を示す模式図である。図２４に示すようにハードディスク３５０は感情状態推論テーブル記憶領域３５１と、感情表現テーブル記憶領域３０２とを備える。感情表現テーブル記憶領域３０２については、第一の実施形態と同様であるため説明を省略する。
【０１４０】
感情状態推論テーブル記憶領域３５１は感情状態推論テーブル３１３が記憶している。感情状態推論テーブル３１３を図２５に示す。感情状態推論テーブル３１３には、変数「ｔｅｍｐ」、「ｈｂｅａｔ」、「ｐｒｅｓｓ」、「ｓｗｅａｔ」の値がどのような時にどのような「感情状態」となるかが記憶されている。これら４つの変数は第一の実施形態と同様であるため説明を省略する。
【０１４１】
本第二の実施形態では、「感情状態」として「興奮」、「鳥肌が立つ」、「ちょっと興奮」、「好感」、「大興奮」、「悲壮感」、「落ち込み」、「混乱」の８つの状態を扱うものとする。図２５に示す感情状態推論テーブル３１３には、「興奮」、「鳥肌が立つ」、「ちょっと興奮」、「好感」、「大興奮」、「悲壮感」、「落ち込み」、「混乱」の８つの状態に対応する変数「ｔｅｍｐ」、「ｈｂｅａｔ」、「ｐｒｅｓｓ」、「ｓｅｅｔ」の値が、それぞれ対応付けられている。
【０１４２】
図２５に示す感情状態推論テーブル３１３では、変数ｔｅｍｐが３、変数ｈｂｅａｔが３、変数ｐｒｅｓｓが３、かつ、ｓｗｅａｔが２以下の場合に、感情状態の「興奮」及び「大興奮」が対応付けられている。また、ｔｅｍｐが２以下、ｈｂｅａｔが２以下、ｐｒｅｓｓが２以下、かつ、ｓｗｅａｔが３の場合に、感情状態の「鳥肌が立つ」が対応付けられている。また、ｔｅｍｐが３、ｈｂｅａｔが２以下、ｐｒｅｓｓが２以下、かつ、ｓｗｅａｔが２以下の場合に、感情状態の「ちょっと興奮」が対応付けられている。また、ｔｅｍｐが２、ｈｂｅａｔが２、ｐｒｅｓｓが２、かつ、ｓｗｅａｔが２の場合に、感情状態の「好感」が対応付けられている。また、ｔｅｍｐが１、ｈｂｅａｔが１、ｐｒｅｓｓが３、かつ、ｓｗｅａｔが２の場合に、感情状態の「悲壮感」が対応付けられている。また、ｔｅｍｐが１、ｈｂｅａｔが１、ｐｒｅｓｓが１、かつ、ｓｗｅａｔが１の場合に、感情状態の「落ち込み」が対応付けられている。また、ｔｅｍｐが２、ｈｂｅａｔが３、ｐｒｅｓｓが２、かつ、ｓｗｅａｔが２の場合に、感情状態の「混乱」が対応付けられている。
【０１４３】
そして、それぞれの「感情状態」を示す値である感情状態推論値として、「興奮」は「１」、「鳥肌が立つ」は「２」、「ちょっと興奮」は「３」が対応付けられている。「好感」は「４」、「大興奮」は「１０１」、「悲壮感」は「１０２」、「落ち込み」は「１０３」が対応付けられている。「混乱」は「１０４」が対応付けられている。感情状態推論値は感情表現文章挿入処理で用いられる。
【０１４４】
図２６はＲＡＭ４５０の構成を示す模式図である。図２６に示すようにＲＡＭ４５０は文章作成領域４０１、センシングデータ保存バッファ４０３、判別結果記憶領域４０４、感情状態推論値記憶領域４０５を備えている。
【０１４５】
文章作成領域４０１、センシングデータ保存バッファ４０３、判別結果記憶領域４０４、感情状態推論値記憶領域４０５については第一の実施形態と同様であるため説明を省略する。
【０１４６】
次に、本第二の実施形態の携帯電話機１００において、電子メールを作成し送信する処理について説明する。第二の実施形態の携帯電話機１００のメイン処理は図８に示した第一の実施形態の携帯電話機１のメイン処理と同様であるため説明を省略する。図２７は、ＣＰＵ４が行なう第二実施形態における電子メール作成送信処理のフローチャートである。
【０１４７】
電子メール作成送信処理を開始すると、先ずメール作成処理（Ｓ１１０２）を実行する。メール作成処理ではキー入力３から電子メールの宛先・題名・本文の入力を受付ける。第二の実施形態のメール作成処理（Ｓ１１０２）の詳細は、第一の実施形態のメール作成処理（Ｓ１０２）と同様であるので説明を省略する。
【０１４８】
メール作成処理において感情表現文章挿入キー７が押下されたと判断された場合は、計測値収集処理（Ｓ１１０５）を実行する。計測値収集処理では各センサ（体温センサ１１、心拍センサ１２、圧力センサ１３、発汗センサ１４）からの計測値をセンシングデータ保存バッファ４０３に記憶する。第二の実施形態の計測値収集処理（Ｓ１１０５）の詳細は、第一実施形態の計測値収集処理（Ｓ１０５）と同様であるため説明を省略する。
【０１４９】
計測値収集処理を終了すると、感情推論処理（Ｓ１１０６）を実行する。感情推論処理では、Ｓ１１０５で取得した各センサからの計測値に基づいて、上述の感情状態推論値の候補を算出し、感情状態推論値記憶領域４０５に記憶する。感情推論処理（Ｓ１１０６）の詳細は後述する。
【０１５０】
感情推論処理を終了すると、感情表現文章挿入処理（Ｓ１１０７）を実行する。感情表現文章挿入処理では、感情状態推論値記憶領域４０６に記憶された感情状態推論値の候補に基づいて、電子メールに挿入する感情表現文章を決定し、文章作成領域４０１にその感情表現文章を示す第二文字データを記憶する。感情表現文章挿入処理（Ｓ１１０７）については後述する。
【０１５１】
感情表現文章挿入処理を終了すると、メール送信処理（Ｓ１１０８）を実行する。メール送信処理では、Ｓ１１０２からＳ１１０７において、文章作成領域４０１に記憶した文章のデータを電子メールとして、送信相手に送信する。第二の実施形態のメール送信処理（Ｓ１１０８）の詳細は、第一の実施形態のメール送信処理（Ｓ１０８）と同様であるので説明を省略する。
【０１５２】
メール送信処理を終了すると、メイン処理に戻り次のＳ１４に移行する（図８参照）。以下第一の実施形態と異なる感情推論処理（Ｓ１１０６）及び感情表現文章挿入処理（Ｓ１１０７）について詳細に説明する。尚、第二の実施形態においては利用者に感情モードの選択をさせないので、第一の実施形態のＳ１０３及びＳ１０４に対応する処理は行なわない。
【０１５３】
感情推論処理（Ｓ１１０６）について説明する。図２８は第二実施形態における感情推論処理のフローチャートである。図２８に示すように、感情推論処理を開始すると、感情状態推論値記憶領域４０５を初期化する（Ｓ１６０１）。ここで初期化とは感情状態推論値記憶領域４０５に記憶されている感情状態推論値の値を０にすることである。
【０１５４】
次に体温状態判別処理（Ｓ１６０２）を実行する。第二の実施形態における体温状態判別処理（Ｓ１６０２）は、第一の実施形態における体温状態判別処理（Ｓ６０２）と同様であるため説明を省略する。
【０１５５】
次に、心拍状態判別処理（Ｓ１６０３）を実行する。第二の実施形態における心拍状態判別処理（Ｓ１６０３）は、第一の実施形態における心拍状態判別処理（Ｓ６０３）と同様であるため説明を省略する。
【０１５６】
次に、圧力状態判別処理（Ｓ１６０４）を実行する。第二の実施形態における圧力状態判別処理（Ｓ１６０４）は、第一の実施形態における圧力状態判別処理（Ｓ６０４）と同様であるため説明を省略する。
【０１５７】
次に、発汗状態判別処理（Ｓ１６０５）を実行する。第二の実施形態における発汗状態判別処理（Ｓ１６０５）は、第一の実施形態における発汗状態判別処理（Ｓ６０５）と同様であるため説明を省略する。
【０１５８】
上述のＳ１６０２からＳ１６０５において４つの変数の値を判別結果記憶領域４０４に記憶すると、判別結果記憶領域４０４に記憶された４つの変数の値と、感情状態推論テーブル記憶領域３５１に記憶されている感情状態推論テーブル３１３に基づき、感情状態推論値の候補を算出して感情状態推論値記憶領域４０５にその値を記憶する（Ｓ１６０６）。
【０１５９】
このとき、判別結果記憶領域４０４に記憶されている４つの変数の値の組み合わせが、第一の実施形態とは異なり複数の感情状態に該当する場合があるが、その場合は該当する全ての感情状態に対応する感情状態推論値を感情状態推論値記憶領域４０５に記憶する。
【０１６０】
尚、感情推論値の候補とは、このように感情状態推論値記憶領域４０５に記憶される感情推論値のことを言う。
【０１６１】
例えば、判別結果記憶領域４０４に、ｔｅｍｐとして３、ｈｂｅａｔとして３、ｐｒｅｓｓとして３、ｓｗｅａｔとして２が記憶されている場合は、感情状態推論テーブル３１３を参照すれば感情状態として「興奮」及び「大興奮」の両方が該当する。この場合は感情状態推論値記憶領域４０５に感情状態推論値として１及び１０１の両方を感情状態推論値の候補として記憶する。
【０１６２】
尚、判別結果記憶領域４０４に記憶されている４つの変数の値の組み合わせが、感情状態推論テーブル３１３のいずれの組み合わせにも当てはまらない場合は、感情状態推論値の値は０のままにしておく。
【０１６３】
Ｓ６０６において、候補の感情状態推論値の値を感情状態推論値記憶領域４０５に記憶した後、電子メール作成送信処理に戻り、感情表現文章挿入処理（Ｓ１１０７）に移行する。
【０１６４】
感情表現文章挿入処理（Ｓ１１０７）について説明する。図２９は第二の実施形態における感情表現文章挿入処理のフローチャートである。図２９に示すように、感情表現文章挿入処理を開始すると、感情状態推論値記憶領域４０５に記憶されている候補の感情状態推論値と感情表現文章テーブル記憶領域３０２に記憶されている感情表現文章テーブル３２１とに基づいて、感情状態推論値記憶領域に記憶されている候補の感情推論値に対応する感情表現文章の候補を表示する画面をディスプレイ２に表示する（Ｓ１７０１）。尚、感情状態推論値記憶領域４０５に記憶４０５されている感情状態推論値が０である場合は、ディスプレイ２には感情表現文章の候補は表示させない。
【０１６５】
図３０に感情表現文章の候補を表示する画面の概略図を示す。図３０に示すように、ウインドウ９に感情表現文章の候補を表示する。選択中の感情表現文章は反転表示する。感情表現文章は利用者がキー入力部３を操作することにより選択される。
【０１６６】
ＣＰＵ４は、いずれかが選択されたことを受付けると（Ｓ１７０２）、選択された感情表現文章に対応する第二文字データを文章作成領域４０１に記憶する（Ｓ１７０３）。このとき、コンピュータによって自動で入力されたものであることを示す記号「☆：」に対応する第三文字データも文章作成領域４０１に記憶する。正確には第三文字データの次に第二文字データを記憶する。
【０１６７】
尚、Ｓ１７０１において、感情状態推論値が０であるため、ディスプレイ２に感情表現文章が表示されていない場合は、利用者は感情表現文章を選択することができないので、Ｓ１７０２では何も受付けずにＳ１７０３へ進み、更にＳ１７０３においても文章作成領域４０１に何も記憶させずに電子メール作成送信処理に戻る。
【０１６８】
第二の実施形態において、Ｓ１７０１を実行するＣＰＵ４が本発明の表示制御手段に相当する。Ｓ１７０２を実行するＣＰＵ４が本発明の選択手段に相当する。
【０１６９】
第三の実施形態について説明する。第三の実施形態の携帯電話機２５０及び文章作成補助装置２００は、利用者が携帯電話機２５０の感情表現文章挿入キー７を押下すると、文章作成補助装置２００が挿入する感情表現文章を推論する。
【０１７０】
図３１は、携帯電話機２５０及び本発明の文章作成補助装置である文章作成補助装置２００の外観図である。図３１に示すように、携帯電話機２５０と文章作成補助装置２００は信号伝達用の線路２２で接続している。携帯電話機２５０は、ディスプレイ２と、キー入力部３とを備える。
【０１７１】
ディスプレイ２は携帯電話機１の操作に伴い各種画面を表示する。キー入力部３は電子メールの文章を作成したり、メニュー選択を行なったりするための複数のキーから形成される。尚、感情表現文章挿入キー７はキー入力部３に含まれる。
【０１７２】
また、文章作成補助装置２００は矩形の板状に形成されており、その表面には体温センサ１１、心拍センサ１２、圧力センサ１３、及び、発汗センサ１４が形成されている。
【０１７３】
図３２は携帯電話機２５０及び文章作成補助装置２００の電気的構成を示すブロック図である。図３２に示すように、携帯電話機２５０には、携帯電話機２５０全体の制御を行なうＣＰＵ４と、データを一時的に記憶するＲＡＭ４００と、携帯電話機１を制御するプログラムを記憶したＲＯＭ５とが内蔵されている。そして、ＣＰＵ４には、各種画面を表示するディスプレイ２と、文字等を入力するキー入力部３と、電話や電子メールの信号を乗せた電波の送受信を行なう送受信部６と、後述するＩ／Ｆ回路２０との間で信号の送受信を行なうＩ／Ｆ回路２１とが接続されている。Ｉ／Ｆ回路２０とＩ／Ｆ回路２１とは上述の線路２２で接続されている。
【０１７４】
文章作成補助装置２００は、文章作成補助装置２００全体の制御を行なうＣＰＵ４０と、データを一時的に記憶するＲＡＭ６００と、文章作成補助装置を制御するプログラムを記憶したＲＯＭ２５とが内蔵されている。そして、ＣＰＵ４には、プログラムや各種情報を記憶したハードディスク５００と、上述のＩ／Ｆ回路２１との間で信号の送受信を行なうＩ／Ｆ回路２０とが接続されている。また、ＣＰＵ４には、生体センサである体温センサ１１、心拍センサ１２及び発汗センサ１４が接続されている。
【０１７５】
本実施形態で使用されるデータについて説明する。図３３は携帯電話機２５０のＲＡＭ１６の構成を示す模式図である。図３３に示すように、ＲＡＭ１６は文章作成領域４０１を備える。文章作成領域４０１は第一の実施形態と同様であるので説明を省略する。
【０１７６】
図３４は文章作成補助装置２００のハードディスク５００の構成を示す模式図である。図３４に示すようにハードディスク５００は感情状態推論テーブル記憶領域５０１と感情表現テーブル記憶領域５０２とを備える。
【０１７７】
感情状態推論テーブル記憶領域５０１には、第一の実施形態において説明した第一感情状態推論テーブル３１１だけが記憶されている。
【０１７８】
感情表現テーブル記憶領域５０２には、感情表現テーブル５２１が記憶されている。感情表現テーブル５２１を図３５に示す。第三の実施形態においては、感情状態として「興奮」、「鳥肌が立つ」、「ちょっと興奮」、「好感」の４つの状態を扱うものとする。また、「興奮」に感情状態推論値の１、「鳥肌が立つ」に感情状態推論値の２、「ちょっと興奮」に感情状態推論値の３、「好感」に感情状態推論値の４が対応付けられている。
【０１７９】
図３５に示すように、感情表現テーブル５２１において、「興奮」（感情推論値が１）に「とてもうれしいよ！」の感情表現文章が対応付けられている。「鳥肌が立つ」（感情推論値が２）に「感動しています」の感情表現文章が対応付けられている。「ちょっと興奮」（感情推論値が３）に「いい感じだね」の感情表現文章が対応付けられている。「好感」（感情推論値が４）に「結構好きです」の感情表現文章が対応付けられている。
【０１８０】
図３６は文章作成補助装置２００のＲＡＭ６００の構成を示す模式図である。図３６に示すように、ＲＡＭ６００はセンシングデータ保存バッファ４０３、判別結果記憶領域４０４、感情状態推論値記憶領域４０５とを備える。センシングデータ保存バッファ４０３、判別結果記憶領域４０４、及び、感情状態推論値記憶領域４０５は第一の実施形態と同様であるので説明を省略する。
【０１８１】
次に、本第三の実施形態の携帯電話機２５０及び文章作成補助装置２００において、電子メールを作成し送信する処理について説明する。
【０１８２】
第三の実施形態の携帯電話機２５０のメイン処理は図８に示した第一の実施形態の携帯電話機１のメイン処理と同様であるため説明を省略する。
【０１８３】
携帯電話機２５０のＣＰＵ４が行なう電子メール作成送信処理のフローチャートについて説明する。図３７は携帯電話機２５０のＣＰＵ４が行なう電子メール作成送信処理のフローチャートである。
【０１８４】
電子メール作成送信処理を開始すると、先ずメール作成処理（Ｓ２１０２）を実行する。メール作成処理ではキー入力３から電子メールの宛先・題名・本文の入力を受付ける。第二の実施形態のメール作成処理（Ｓ２１０２）の詳細は、第一の実施形態のメール作成処理（Ｓ１０２）と同様であるので説明を省略する。
【０１８５】
メール作成処理において感情表現文章挿入キー７が押下されたと判断された場合は、感情表現文章受信処理（Ｓ２１０３）を実行する。感情表現文章受信処理では、文章作成補助装置２００から電子メールに挿入する感情表現文章に対応する第二文字データを受信する。感情表現文章受信処理（Ｓ２１０３）については後述する。
【０１８６】
感情表現文章受信処理を終了すると、受信した感情表現文章に対応する第二文字データを文章作成領域４０１に記憶する（Ｓ２１０４）。このとき、コンピュータによって自動で入力されたものであることを示す記号「☆：」に対応する第三文字データも文章作成領域４０１に記憶する。このＳ２１０４は第一の実施形態におけるＳ７０２（図１８参照）と同様であるので説明を省略する。
【０１８７】
感情表現文章の挿入を終了すると、メール送信処理（Ｓ２１０８）を実行する。メール送信処理では、Ｓ２１０２からＳ２１０４において、文章作成領域４０１に記憶した文章のデータを電子メールとして、送信相手に送信する。第三の実施形態のメール送信処理（Ｓ２１０８）の詳細は、第一の実施形態のメール送信処理（Ｓ１０８）と同様であるので説明を省略する。
【０１８８】
メール送信処理を終了すると、メイン処理に戻り次のＳ１４に移行する（図８参照）。
【０１８９】
以下第一の実施形態と異なる感情表現文章受信処理（Ｓ２１０３）について詳細に説明する。尚、第三の実施形態においては利用者に感情モードの選択をさせないので、第一の実施形態のＳ１０３及びＳ１０４に対応する処理は行なわない。また、第三の実施形態においては、第一の実施形態における計測値取得処理（Ｓ１０５）、感情推論処理（Ｓ１０６）、感情表現文章挿入処理（Ｓ１０７）のＳ７０１と同様の処理については、文章作成補助装置２００のＣＰＵ４０が実行する。
【０１９０】
感情表現文章受信処理について説明する。図３８は第三実施形態における感情推論処理のフローチャートである。図３８に示すように感情表現文章挿入処理を開始すると、文章作成補助装置に感情表現文章に対応する第二文字データを要求する信号を送信する（Ｓ２３０１）。後述するが、文章作成補助装置２００は第二文字データを要求する信号を受信すると、電子メールに送信する感情表現文章を決定し、感情表現文章に対応する第二文字データを携帯電話機２５０に送信する。
【０１９１】
感情表現文章に対応する第二文字データを要求する信号を送信した後、ＣＰＵ４は文章作成補助装置２００から感情表現文章に対応する第二文字データを受信するか否かを判断する（Ｓ２３０２）。
【０１９２】
文章作成補助装置２００から感情表現文章に対応する第二文字データを受信しない場合は（Ｓ２３０２：ｎｏ）、文章作成補助装置２００から感情表現文章に対応する第二文字データを受信するまで待機する。
【０１９３】
文章作成補助装置２００から感情表現文章に対応する第二文字データを受信した場合は（Ｓ２３０２：ｙｅｓ）、電子メール作成送信処理に戻り、電子メール作成送信処理のＳ２１０４に移行する。
【０１９４】
次に、文章作成補助装置２００のＣＰＵ４０が行なう電子メール作成送信処理のフローチャートについて説明する。図３９は文章作成補助装置２００のＣＰＵ４０が行なうメイン処理のフローチャートである。図３９に示すメイン処理は、文章作成補助装置２００に備えられた図示しない電源ボタンを利用者が操作して、文章作成補助装置２００の電源が入力されることによって開始される。
【０１９５】
先ず、感情表現文章に対応する第二文字データを要求する信号を、携帯電話機２５０から受信したか否かを判断する（Ｓ２１）。感情表現文章に対応する第二文字データを要求する信号を、携帯電話機２５０から受信しない場合は（Ｓ２１：ｎｏ）、受信するまで待機する。
【０１９６】
感情表現文章に対応する第二文字データを要求する信号を、携帯電話機２５０から受信した場合は（Ｓ２１：ｙｅｓ）、計測値収集処理（Ｓ２２）を開始する。
【０１９７】
計測値収集処理（Ｓ２１）を実行する。計測値収集処理では各センサ（体温センサ１１、心拍センサ１２、圧力センサ１３、発汗センサ１４）からの計測値をセンシングデータ保存バッファ４０３に記憶する。第三の実施形態の計測値収集処理（Ｓ２２）の詳細は、第一実施形態の計測値収集処理（Ｓ１０５）と同様であるため説明を省略する。
【０１９８】
計測値収集処理を終了すると、感情推論処理（Ｓ２３）を実行する。感情推論処理では、Ｓ１１０５で取得した各センサからの計測値に基づいて、上述の感情状態推論値を算出し、感情状態推論値記憶領域４０５に記憶する。感情推論処理（Ｓ２３）の詳細は第一実施形態の感情状態推論処理（Ｓ１０６）と同様であるため説明を省略する。ただし、ここでは感情表現テーブル記憶領域５０１に記憶されている第一感情状態推論テーブル３１１に基づいて感情推論値が算出される。尚、判別結果記憶領域４０４に記憶されている４つの変数の値の組み合わせが、感情状態推論テーブル３１１のいずれの組み合わせにも当てはまらない場合は、感情状態推論値の値は０のままにしておく。
【０１９９】
感情推論処理を終了すると、感情状態推論値記憶領域４０５に記憶されている感情状態推論値と感情表現文章テーブル記憶領域５０２に記憶されている感情表現文章テーブル５２１とに基づいて、電子メールに挿入する感情表現文章を決定する（Ｓ２４）。
【０２００】
その後その感情表現文章に対応する第二文字データを携帯電話機２５０に送信し（Ｓ２５）、電子メール作成送信処理に戻る。
【０２０１】
第三の実施形態において、Ｓ２２を実行するＣＰＵ４０が本発明の計測値取得手段に相当する。Ｓ２３及びＳ２４を実行するＣＰＵ４０が本発明の変換手段に相当する。Ｓ２５を実行するＣＰＵ４０が本発明の第二文字データ送信手段に相当する。
【０２０２】
第四の実施形態について説明する。第一の実施形態においては、感情表現文章挿入キー７が押下された場合に、人の生体情報を計測し、感情表現文章挿入キー７が押下された時のカーソル８の位置に対応する文章作成領域の位置に、第二文字データ及び第三文字データを挿入したが、特定の文字もしくは特定の特殊記号がキー入力部３から入力された場合に、人の生体情報を計測し、キー入力部３から入力された特定の文字もしくは特定の特殊記号に対応する第一文字データが記憶されている文章作成領域４０１の位置に、第二文字データ及び第三文字データを記憶する。
【０２０３】
このとき、特定の文字もしくは特定の特殊記号に対応する第一文字データは消去し、挿入する第二文字データ及び第三文字データを上書きする。
例えば「＃＃＃」、「☆：」等の特定の文字、若しくは、改行、スペース等の特定の特殊記号が入力された場合に、挿入する。
【０２０４】
具体的には、第一の実施形態のメール作成処理（Ｓ１０２）のＳ２０２において特定の文字もしくは特定の特殊記号が入力されたか否かを判断する。特定の文字もしくは特定の特殊記号が入力された場合は、ｙｅｓと判断する。特定の文字もしくは特定の特殊記号が入力された場合はｎｏと判断する。
【０２０５】
そして、第一の実施形態の感情表現文章挿入処理（Ｓ１０７）のＳ７０２において、キー入力部３から入力された特定の文字もしくは特定の特殊記号に対応する第一文字データが記憶されている文章作成領域４０１の位置に、第二文字データ及び第三文字データを記憶する。他は第一の実施形態と同様であるため説明を省略する。
【０２０６】
第五の実施形態について説明する。第一の実施形態においては、感情表現文章挿入キー７が押下された時のカーソル８の位置に対応する文章作成領域４０１の位置に、第二文字データ及び第三文字データを挿入したが、第５の実施形態においては予め設定された位置に第二文字データ及び第三文字データを挿入する。例えば電子メールの本文の文頭や文末に挿入する。
【０２０７】
具体的には、第一の実施形態の感情表現文章挿入処理（Ｓ１０７）のＳ７０２において、文章作成領域４０１の電子メールの本文の文頭に対応する位置に、第二文字データ及び第三文字データを記憶する。他は第一の実施形態と同様であるため説明を省略する。
【０２０８】
第六の実施形態について説明する。第一の実施形態においては、メール作成処理（Ｓ１０２）のＳ２０２で感情表現文章挿入キー７が押下された後に（図１０参照）、計測値収集処理（Ｓ１０５）を実行して利用者の生体情報を計測し、そのときの計測値に基づいて挿入する感情表現文章を決定したが、第六の実施形態のおいては、利用者が文章を作成する前に所定の操作を行なった時の前記計測値に基づいて、挿入する感情表現文章を決定する。
【０２０９】
電子メール作成送信処理を開始した直後に、Ｓ１０５を行なうようにする。第六の実施形態におけるＣＰＵ４が行なう電子メール作成送信処理のフローチャートを図４０に示す。他は第一の実施形態と同様であるため説明を省略する。
【０２１０】
第七の実施形態について説明する。第一の実施形態においては、感情表現文章挿入処理（Ｓ１０７）のＳ７０２で、決定された感情表現文章に対応する第二文字データを文章作成領域４０１に記憶したが、第七の実施形態においては、電子メールの送信が決定された時に初めて前記第二文字データを前記文章作成領域に記憶する。
【０２１１】
具体的には、まず、ＲＡＭ４００に第二文字データ記憶領域を設ける。
【０２１２】
そして、第一の実施形態の感情表現文章挿入処理（Ｓ１０７）のＳ７０２において、感情表現文章挿入キー７が押下されたとき（Ｓ２０２：ｙｅｓ）のカーソル８の位置に対応する文章作成領域４０１の位置と、その位置に挿入する第二文字データとを対応付けて、ＲＡＭ４００の第二文字データ記憶領域に記憶する。
【０２１３】
そして、第一の実施形態のメール送信処理（Ｓ１０８）のＳ８０２において、メールを送信する処理を行うときに初めて第二文字データ記憶領域に記憶されている第二文字データを第三文字データと共に、第二文字データ記憶領域に記憶されている文章作成領域４０１の位置に記憶して、このデータを電子メールとして送信する。
【０２１４】
尚、第一の実施形態においては、利用者の生体情報を計測し、その計測値に基づいて挿入する感情表現文章の第二文字データを算出したが、携帯電話機１の周囲の環境を計測し、その計測値に基づいて挿入する文章の第二文字データを算出してもよい。例えば、携帯電話機１の周囲の気温、湿度、照度等の情報を計測し、その計測値に基づいて挿入する文章の第二文字データを算出する。具体的には、測定された携帯電話機１の周囲の気温が高ければ、携帯電話機１の利用者はとても暑がっていることが想定できるので、「とても暑いです」などといった文章を挿入するようにしてもよい。
【０２１５】
また、第一の実施形態においては第二文字データと共に第三文字データを文章作成領域４０１に記憶したが、第二文字データだけを文章作成領域に記憶しても良い。
【０２１６】
また、第一の実施形態においては計測値に基づいて人の感情を推論し、その推論結果に基づいて第二文字データを生成したが、特に人の感情を推論する処理を行わずに、計測値の値をそのまま電子メールに挿入してもよい。
【０２１７】
また、第一の実施形態においては、文体のモードを選択することができるものとして説明したが、特に文体のモードが選択することができなくてもよい。
【０２１８】
また、第一の実施形態においては、第三文字データが「☆：」を示すデータである物として説明したが、その他の記号を感情表現文章と共に電子メールに挿入しても良い。また、感情表現文章の先頭と末尾がわかるように、感情表現文章の前に「☆：」を挿入し、感情表現文章の後ろに「：☆」を挿入してもよい。例えば「☆：起こっています！：☆」という文章を電子メールに挿入する（起こっています！は感情表現文章）
また、感情表現文章は２つ以上挿入されてもよい。
【０２１９】
また、第一の実施形態においては、第二文字データがテキストデータのもので説明したが、第二文字データはテキストデータ以外のデータであってもよい。例えば、絵文字を示すデータであってもよい。
【０２２０】
また、第一の実施形態においては、携帯電話機１で電子メールの文章を作成する場合で説明したが、パーソナルコンピュータ等で用いられるような、Ｗｏｒｄ（登録商標）、Ｅｘｃｅｌ（登録商標）、一太郎（登録商標）等の種々の文章作成ソフトで他人に見せることを目的とする文書を作成する場合においても同様である。
【０２２１】
また、本発明は携帯電話機１に内蔵される文章作成プログラムや、文章作成補助装置２００に内蔵される文章作成補助プログラムとして提供することもできる。
【図面の簡単な説明】
【０２２２】
【図１】携帯電話機１の外観図。
【図２】携帯電話機１の電気的構成を示すブロック図。
【図３】ハードディスク３００の構成を示す模式図。
【図４】ＲＡＭ４００の構成を示す模式図。
【図５】第一感情状態推論テーブル３１１。
【図６】第二感情状態推論テーブル３１２。
【図７】感情表現文章テーブル３２１。
【図８】携帯電話機１のメイン処理のフローチャート。
【図９】第一の実施形態における電子メール作成送信処理のフローチャート。
【図１０】メール作成処理のフローチャート。
【図１１】感情モード指定処理のフローチャート。
【図１２】計測値収集処理のフローチャート。
【図１３】感情推論処理のフローチャート。
【図１４】体温状態判別処理のフローチャート。
【図１５】心拍状態判別処理のフローチャート。
【図１６】圧力状態判別処理のフローチャート。
【図１７】発汗状態判別処理のフローチャート。
【図１８】感情表現文章挿入処理のフローチャート。
【図１９】メール送信処理のフローチャート。
【図２０】Ｓ２０１における、ディスプレイ２に表示される電子メールの本文入力中の画面の概略図。
【図２１】好感モードが選択されている場合における、感情表現文章が挿入された場合の画面の概略図。
【図２２】嫌悪モードが選択されている場合における、感情表現文章が挿入された場合の画面の概略図。
【図２３】携帯電話機１００の電気的構成を示すブロック図。
【図２４】ハードディスク３５０の構成を示す模式図。
【図２５】感情状態推論テーブル３１３。
【図２６】ＲＡＭ４５０の構成を示す模式図。
【図２７】第二の実施形態における電子メール作成送信処理のフローチャート。
【図２８】第二実施形態における感情推論処理のフローチャート。
【図２９】第二の実施形態における感情表現文章挿入処理のフローチャート。
【図３０】感情表現文章の候補を表示する画面の概略図。
【図３１】携帯電話機２５０及び文章作成補助装置２００の外観図。
【図３２】携帯電話機２５０及び文章作成補助装置２００の電気的構成を示すブロック図。
【図３３】ＲＡＭ１６の構成を示す模式図。
【図３４】ハードディスク５００の構成を示す模式図。
【図３５】感情表現テーブル５２１。
【図３６】ＲＡＭ６００の構成を示す模式図。
【図３７】第三の実施形態における電子メール作成送信処理のフローチャート。
【図３８】第三実施形態における感情推論処理のフローチャート。
【図３９】文章作成補助装置２００のＣＰＵ４０が行なうメイン処理のフローチャート。
【図４０】第六の実施形態における電子メール作成送信処理のフローチャート
【符号の説明】
【０２２３】
１、１００、２５０  携帯電話機
２  ディスプレイ
３  キー入力部
４、４０  ＣＰＵ
５  ＲＯＭ
６  送受信部
７  感情表現文章挿入キー
８  カーソル
９  ウインドウ
１１  体温センサ
１２  心拍センサ
１３  圧力センサ
１４  発汗センサ
２０、２１  Ｉ／Ｆ回路
２２  線路
２００  文章作成補助装置
３００、３５０、５００、  ハードディスク
４００、４５０、６００、１６  ＲＡＭ
【図１】
2007156776.tif 000003
【図２】
2007156776.tif 000004
【図３】
2007156776.tif 000005
【図４】
2007156776.tif 000006
【図５】
2007156776.tif 000007
【図６】
2007156776.tif 000008
【図７】
2007156776.tif 000009
【図８】
2007156776.tif 000010
【図９】
2007156776.tif 000011
【図１０】
2007156776.tif 000012
【図１１】
2007156776.tif 000013
【図１２】
2007156776.tif 000014
【図１３】
2007156776.tif 000015
【図１４】
2007156776.tif 000016
【図１５】
2007156776.tif 000017
【図１６】
2007156776.tif 000018
【図１７】
2007156776.tif 000019
【図１８】
2007156776.tif 000020
【図１９】
2007156776.tif 000021
【図２０】
2007156776.tif 000022
【図２１】
2007156776.tif 000023
【図２２】
2007156776.tif 000024
【図２３】
2007156776.tif 000025
【図２４】
2007156776.tif 000026
【図２５】
2007156776.tif 000027
【図２６】
2007156776.tif 000028
【図２７】
2007156776.tif 000029
【図２８】
2007156776.tif 000030
【図２９】
2007156776.tif 000031
【図３０】
2007156776.tif 000032
【図３１】
2007156776.tif 000033
【図３２】
2007156776.tif 000034
【図３３】
2007156776.tif 000035
【図３４】
2007156776.tif 000036
【図３５】
2007156776.tif 000037
【図３６】
2007156776.tif 000038
【図３７】
2007156776.tif 000039
【図３８】
2007156776.tif 000040
【図３９】
2007156776.tif 000041
【図４０】
2007156776.tif 000042